(57)【要約】      （修正有）【課題】光を広く拡散させて照度を落とすことなく効率的に照射するＬＥＤ蛍光灯及びＬＥＤ蛍光管を提供する。【解決手段】ＬＥＤ蛍光灯は、一方向に細長い反射板２ａと反射板２ａの内側に係合するＬＥＤ蛍光管１ａとで構成される。ＬＥＤ蛍光管１ａは、反射板の内側に略平行して併設される放熱板３ａと、放熱板の長手方向における片側面に取り付けられるＬＥＤ発光体４と、透明又は半透明のカバー体５と、放熱板およびＬＥＤ発光体の長手方向の端部にＬＥＤ電源用端子を有して取り付けられるキャップとを有してなる。放熱板の短手方向の両端部にカバーの短手方向の両端部の係合部が固定される。放熱板３ａは、蛍光管１ａの全周に対して１／３〜１／４の範囲に放熱板３ａの外周部を露出させ収めるとともに、前記蛍光管１ａの中心部から上半分以内に放熱板３ａの管内外周部３ｅを収める。【選択図】図１−Ａ
0003163621.tif 000002
【実用新案登録請求の範囲】
【請求項１】
一方向に細長い反射板と該反射板の内側に係合して並設されるＬＥＤ蛍光管とで構成され、該ＬＥＤ蛍光管は、前記反射板の内側に略平行して併設される放熱板と、該放熱板の長手方向における片側面に取り付けられるＬＥＤ発光体と、該ＬＥＤ発光体をカバーして前記放熱板の短手方向の両端部に当該カバーの短手方向の両端部の係合部が固定される前記放熱板の長手方向の長さとほぼ同じ長さの透明又は半透明のカバー体と、前記放熱板およびＬＥＤ発光体の長手方向の端部にＬＥＤ電源用端子を有して取り付けられるキャップとを有してなるＬＥＤ蛍光灯において、
前記放熱板は、ＬＥＤの照射範囲を拡開させるために蛍光管の全周に対して１／３〜１／４の範囲に放熱板の外周部を露出させ収めるとともに、前記蛍光管の中心部から上半分以内に放熱板の管内外周部を収めたものであること、
を特徴とするＬＥＤ蛍光灯。
【請求項２】
ＬＥＤ蛍光管は、
放熱板と、該放熱板の長手方向における片側面に取り付けられるＬＥＤ発光体と、該ＬＥＤ発光体をカバーして前記放熱板の短手方向の両端部に当該カバーの短手方向の両端部の係合部が固定される前記放熱板の長手方向の長さとほぼ同じ長さの透明又は半透明のカバー体と、前記放熱板およびＬＥＤ発光体の長手方向の端部にＬＥＤ電源用端子を有して取り付けられるキャップとを有してなり、前記放熱板は、ＬＥＤの照射範囲を拡開させるために蛍光管の全周に対して１／３〜１／４の範囲に放熱板の外周部を露出させ収めるとともに、前記蛍光管の中心部から上半分以内に放熱板の管内外周部を収めたものであること、
を特徴とするＬＥＤ蛍光管。
【請求項３】
放熱板には、空気抜き孔が設けられていること、
を特徴とする請求項２に記載のＬＥＤ蛍光管。
【請求項４】
ＬＥＤ蛍光管は、
筒状の透明又は半透明のカバー体と、該カバー体の内部に固定手段で固定されるＬＥＤ用プリント基板および該プリント基板の照射側に実装される複数のＬＥＤとでなるＬＥＤ発光体と、該ＬＥＤ発光体およびカバー体の長手方向の端部に設けたＬＥＤ電源用端子およびキャップとでなること、
を特徴とするＬＥＤ蛍光管。
【請求項５】
ＬＥＤ発光体は、プリント基板と該プリント基板に実装された複数のＬＥＤとでなり、当該  ＬＥＤは、プリント基板の長手方向に２列に配設され、且つ、互いの列のピッチが半ピッチづつずれて長手方向において千鳥配置にされていること、
を特徴とする請求項２乃至４のいずれかに記載のＬＥＤ蛍光管。
【考案の詳細な説明】
【技術分野】
【０００１】
本考案は、細長板状体の基板に複数のＬＥＤ（発光ダイオード：Light Emitting Diode、以下同じ）が並設されたＬＥＤ蛍光灯およびその蛍光灯に使用するＬＥＤ蛍光管に関するものである。
【背景技術】
【０００２】
従来、ＬＥＤ蛍光灯は、ＬＥＤモジュールを利用して使用寿命を大幅に伸ばし、経済性を高め、更に、従来の蛍光灯の両側ソケットをそのまま使用できるようにし、発熱量を減らして効率を高め放熱効率も高めたものが知られている（特許文献１参照）。また、既存の蛍光灯照明器具にソケットの没入端面部の直径サイズに対応できるようにした端子部構造を有するものが知られている（特許文献２参照）。
【先行技術文献】
【特許文献】
【０００３】
【特許文献１】特開２０１０−９２９９０号公報
【特許文献２】実用新案登録第３１４２６５２号公報
【考案の概要】
【考案が解決しようとする課題】
【０００４】
しかし、従来のＬＥＤ蛍光灯は、図６に示すように、細長板状のプリント基板４に実装されたＬＥＤ４ｂを単に半円筒のベース８に取り付けて、下方向に照射させているだけである。ＬＥＤ４ｂの発熱に対しても、前記ベース８の内側長手方向に放熱用のフィンを形成しているに過ぎないものである。
【０００５】
本考案に係るＬＥＤ蛍光灯と蛍光管は、ＬＥＤによる光の広がりを実現し、照度も大きくなるように反射板形状を考慮して、このような課題を解決するために提案されたものである。
【課題を解決するための手段】
【０００６】
本考案に係るＬＥＤ蛍光灯の上記課題を解決して目的を達成するための要旨は、一方向に細長い反射板と該反射板の内側に係合して並設されるＬＥＤ蛍光管とで構成され、該ＬＥＤ蛍光管は、前記反射板の内側に略平行して併設される放熱板と、該放熱板の長手方向における片側面に取り付けられるＬＥＤ発光体と、該ＬＥＤ発光体をカバーして前記放熱板の短手方向の両端部に当該カバーの短手方向の両端部の係合部が固定される前記放熱板の長手方向の長さとほぼ同じ長さの透明又は半透明のカバー体と、前記放熱板およびＬＥＤ発光体の長手方向の端部にＬＥＤ電源用端子を有して取り付けられるキャップとを有してなるＬＥＤ蛍光灯において、前記放熱板は、ＬＥＤの照射範囲を拡開させるために蛍光管の全周に対して１／３〜１／４の範囲に放熱板の外周部を露出させ収めるとともに、前記蛍光管の中心部から上半分以内に放熱板の管内外周部を収めたことである。
【０００７】
本考案に係るＬＥＤ蛍光管の上記課題を解決して目的を達成するための要旨は、ＬＥＤ蛍光管は、放熱板と、該放熱板の長手方向における片側面に取り付けられるＬＥＤ発光体と、該ＬＥＤ発光体をカバーして前記放熱板の短手方向の両端部に当該カバーの短手方向の両端部の係合部が固定される前記放熱板の長手方向の長さとほぼ同じ長さの透明又は半透明のカバー体と、前記放熱板およびＬＥＤ発光体の長手方向の端部にＬＥＤ電源用端子を有して取り付けられるキャップとを有してなり、前記放熱板は、ＬＥＤの照射範囲を拡開させるために蛍光管の全周に対して１／３〜１／４の範囲に放熱板の外周部を露出させ収めるとともに、前記蛍光管の中心部から上半分以内に放熱板の管内外周部を収めたことである。
更に、前記放熱板には、空気抜き孔が設けられていることを含むものである。
【０００８】
本考案に係るＬＥＤ蛍光管の上記課題を解決して目的を達成するための要旨は、ＬＥＤ蛍光管は、筒状の透明又は半透明のカバー体と、該カバー体の内部に固定手段で固定されるＬＥＤ用プリント基板および該プリント基板の照射側に実装される複数のＬＥＤとでなるＬＥＤ発光体と、該ＬＥＤ発光体およびカバー体の長手方向の端部に設けたＬＥＤ電源用端子およびキャップとでなることである。
【０００９】
前記ＬＥＤ発光体は、プリント基板と該プリント基板に実装された複数のＬＥＤとでなり、当該ＬＥＤは、プリント基板の長手方向に２列に配設され、且つ、互いの列のピッチが半ピッチづつずれて長手方向において千鳥配置にされていることを含むものである。
【考案の効果】
【００１０】
本考案のＬＥＤ蛍光灯によれば、放熱板は、ＬＥＤの照射範囲を拡開させるために蛍光管の全周に対して１／３〜１／４の範囲に放熱板の外周部を露出させ収めるとともに、前記蛍光管の中心部から上半分以内に放熱板の管内外周部を収めたので、ＬＥＤの照射範囲が広くなり、反射板で効率的に室内が照査されるようになる。
また、反射板により効率よく前方に照射されるので、同じ照度でも低電力消費となりコスト削減となる。
【００１１】
本考案の蛍光管によれば、照射範囲の広く、消費電力も低減されるものである。また、蛍光管の構成においては、部品点数が少なく軽量であって低コストで製造できて、在庫管理も容易である。
前記カバー体や放熱板に、空気抜き孔を設けることで放熱効果も一層促進される。
更に、ＬＥＤ発光体においては、プリント基板上に実装するＬＥＤを長手方向において千鳥配置にすることで、ＬＥＤ発光体が全体的に均一に発光しているように見える。
【図面の簡単な説明】
【００１２】
【図１−Ａ】本考案の第１実施例に係るＬＥＤ蛍光灯１における横断面図である。
【図１−Ｂ】本考案の第２実施例に係るＬＥＤ蛍光管における横断面図である。
【図１−Ｃ】本考案の第３実施例に係るＬＥＤ蛍光管における横断面図である。
【図２】同本考案の第１実施例におけるＬＥＤ蛍光管１ａの放熱板３ａと端部とを上から見た斜視図である。
【図３】同ＬＥＤ蛍光管１ａにおけるＬＥＤ発光体４の千鳥配置状態を示す斜視図である。
【図４】同ＬＥＤ蛍光灯１における反射板２の平面図（Ａ）と側面図（Ｂ），（Ｃ）とである。
【図５】同ＬＥＤ蛍光灯１におけるＬＥＤ蛍光管１ａの正面図（Ａ）と側面図（Ｂ）とである。
【図６】従来例に係るＬＥＤ蛍光管１０の分解組立斜視図である。
【考案を実施するための形態】
【００１３】
本考案に係るＬＥＤ蛍光灯は、ＬＥＤ蛍光管におけるＬＥＤ発光体を取り付ける放熱板を狭小にして、更にＬＥＤ蛍光管の周囲をカバーする反射板によって光の広がりを従来よりも拡開させたものである。
【実施例１】
【００１４】
図１−Ａに示すように、本考案に係るＬＥＤ蛍光灯１は、一方向に細長く半円弧状の反射板２ａと、該反射板２ａの内側に設けられるＬＥＤ蛍光管１ａとで成る。前記ＬＥＤ蛍光管１ａは、図１−Ａと図５に示すように、前記反射板２ａに係合して略平行に併設される放熱板３ａと、該放熱板３ａの短手方向（横断面）における片側面に取り付けられるＬＥＤ発光体４と、該ＬＥＤ発光体４をカバーして前記放熱板３ａの短手方向の両端部に当該カバーの短手方向の両端部の係合部が固定され、前記放熱板３ａの長手方向の長さとほぼ同じ長さの透明又は半透明のカバー体５と、図２に示すように、前記放熱板３ａおよびＬＥＤ発光体４の長手方向の端部にＬＥＤ電源用端子６ａを有して取り付けられるキャップ６および電源９には関係しない装着用キャップ７とを有してなるものである。
【００１５】
前記ＬＥＤ蛍光管１ａにおける、放熱板３ａは、図１−Ａに示すように、長手方向に直交する短手方向の幅が、約１５ｍｍ〜２０ｍｍ程度に狭くされており、例えば蛍光管周方向の露出させた円弧状範囲が、当該蛍光管１ａの円中心からの角度が９０°以下となっている。また、前記蛍光管１ａの中心部から上半分以内に放熱板３の管内外周部３ｅを収めたものである。又、図示するように、前記蛍光管周方向の露出させた円弧状範囲の外周部分と前記管内外周部３ｅとの間は空洞部となっている。このように、放熱板３ａの幅を狭く設定することで、ＬＥＤ発光体４の光を横方向に広く照射させて、反射板２ａによって下方向に反射させるものである。
【００１６】
また、前記放熱板３ａはアルミニウム製である。この実施例１では、ＬＥＤ発光体４が１列であり、発熱量の少ないものである。
【００１７】
また、反射板２ａの形状は、図４（Ａ），（Ｂ）に示すように、全体的に底が浅くなっている。反射板２ａは、アルミ母材に陽極酸化処理をしたもので、その反射面にガラス状の物質をＰＶＤコーティングしている。ＬＥＤ発光体４の光を床面方向に向けて全反射するように反射角度調節していて、効率よく照度を向上させている。なお、ＬＥＤ４ｂの光を下に反射させるためには、反射板２ｂの深さは、図４（Ｃ）に示すように、深いものにする場合もある。
【００１８】
この反射板２ａを例えば天井などに固定して取り付けるための取付具（図示せず）は、ブラケットや木ねじ等の公知の取付手段で天井などに取り付けられ、この取付具に反射板２ａを係合させて吊持などさせるものである。この反射板２ａの外側に外カバー１ｂが被せられる。この外カバー１ｂの内側に、電源９が配設されている。
【００１９】
前記ＬＥＤ発光体４は、プリント基板４ａと該プリント基板４ａに実装された複数のＬＥＤ（発光ダイオード）４ｂとでなる。例えば、幅が１５ｍｍ程度の四角形状の照明用バーモジュールでなるタナバースリム（商品名）相当品などである。
【００２０】
前記透明又は半透明のカバー体５は、例えば、合成樹脂製（ポリカーボネード：ＰＣ製など）のものであり、前記放熱板３を取り付けて固定するには、凹凸の係合部を短手方向の端部に設けておき、このカバー体５の長手方向の一端側から前記放熱板３の短手方向端部の係合部に嵌合させ更にスライドさせて差し込むようにして、カバー体５に放熱板３を取り付けて固定するものである。
【００２１】
以上のようなＬＥＤ蛍光管１ａは、図５に示すように、低消費電力のＬＥＤ蛍光管として、新設の蛍光灯において使用するだけに限らず、既存の蛍光灯における古くなった放電用蛍光管に代わって、ＬＥＤ蛍光管を容易に差し替えて使用することができる。このように、前記放熱板３ａは、蛍光管１ａの全周に対して１／４の範囲に放熱板３ａの外周部を露出させ収めるとともに、前記蛍光管１ａの中心部から上半分以内（上位置）に放熱板３ａの管内外周部３ｅを収めたものであり、ＬＥＤ４ｂの照射範囲が拡開されている。
【実施例２】
【００２２】
実施例２は、蛍光管の構成を、図１−Ｂに示すように、筒状で透明又は半透明のポリカーボネード製等のカバー体５ａと、該カバー体５ａの内部に固定手段で固定されるＬＥＤ用プリント基板４ａおよび該プリント基板４ａの照射側に実装される複数のＬＥＤ４ｂとでなるＬＥＤ発光体４と、該ＬＥＤ発光体４およびカバー体５ａの長手方向の端部に設けたＬＥＤ電源用端子６ａおよびキャップ６，７（図２参照）とでなるものである。
【００２３】
前記ＬＥＤ用プリント基板４ａと前記カバー体５ａとの固定段としては、例えば、これらの長手方向の両端部で、前記キャップ６，７に前記プリント基板４ａ等に係合する突起部を設けておいて、このキャップ６，７をカバー体５の両端部に装着することで、前記プリント基板４ａが位置固定される構造にすることができる。
【００２４】
前記プリント基板４ａの裏側において、カバー体５ａに空気抜き孔５ｃが放熱のために設けられている。この空気抜き孔５ｃは、蛍光管の長手方向に並設したり、千鳥配置にしたりするものであり、図中では周方向において２個所にしているが、１個所以上有ればよく、特に数を限定するものではない。又、前記プリント基板４ａにも、適宜個所に上下に通じる貫通孔を設けるようにするもの好ましい。更に、プリント基板４ａの裏側に限らずカバー体５ａの側方上部でプリント基板４ａの位置より下位置にも、前記空気抜き孔５ｃを設けるようにしても良い。
【実施例３】
【００２５】
実施例３は、図１−Ｃに示すように、蛍光管における放熱板の変形例であり、ＬＥＤ４ｂの照射範囲を拡開させるために蛍光管の全周に対して１／３〜１／４の範囲に放熱板３ｂの外周部を露出させ収めるとともに、前記蛍光管の中心部から上半分以内に放熱板３ｂの管内外周部３ｅを収め、前記外周部と前記管内外周部３ｅとの間は空洞部となっている。この蛍光管における放熱板３ｂに、ＬＥＤ発光体４の裏側で前記空洞部から空気抜き孔３ｃを追加したものである。この空気抜き孔３ｃは、紙面直交方向（蛍光管長手方向）に適宜間隔で並設しても良いし、千鳥配置にしても良いものである。特に空気抜き孔３ｃの数を限定するものではない。いずれも、蛍光管内部の熱を外部に効率的に放出するものである。符号３ｄは、放熱板３ｂの放熱用のフィンを示している。
【実施例４】
【００２６】
実施例４は、ＬＥＤ発光体４に係るものであり、ＬＥＤ４ｂが、図３に示すように、プリント基板の長手方向に２列に配設され、且つ、互いの列のピッチが半ピッチづつずれて長手方向において千鳥配置にされている。これにより、点灯した直後でも、ＬＥＤ４ｂ同士の間の空間が暗く見えることなく、ＬＥＤ発光体全体が均一に光っているように見える。これによれば、少ない数のＬＥＤ４ｂでも、室内が全体的に均一に照射される。
【産業上の利用可能性】
【００２７】
本考案に係るＬＥＤ蛍光灯１と蛍光管１ａとは、長寿命であって光が広く拡散され、長手方向の長さを種々用意することで、事務所，家庭，管理室などの多様な場所に使用することができる。
【符号の説明】
【００２８】
１          ＬＥＤ蛍光灯、                １ａ        ＬＥＤ蛍光管、
１ｂ        外カバー、
２ａ        反射板、
３ａ，３ｂ  放熱板、                      ３ｃ        空気抜き孔、
３ｄ        フィン、                      ３ｅ        管内外周部、
４          ＬＥＤ発光体、                ４ａ        プリント基板、
４ｂ        ＬＥＤ、
５          カバー体、                    ５ａ        カバー体、
５ｂ        カバー体、                    ５ｃ，５ｄ  空気抜き孔、  
６          キャップ、                    ６ａ        端子、
７          装着用キャップ、
８          ベース、
９          電源、
１０        従来のＬＥＤ蛍光管。
【図１−Ａ】
0003163621.tif 000003
【図１−Ｂ】
0003163621.tif 000004
【図１−Ｃ】
0003163621.tif 000005
【図２】
0003163621.tif 000006
【図３】
0003163621.tif 000007
【図４】
0003163621.tif 000008
【図５】
0003163621.tif 000009
【図６】
0003163621.tif 000010